Podtech/llm-jp-corpus-v4-ja_patent huggingface dataset:
(57)【要約】【課題】素材自身が物質的効果と併して感情を癒す効果で細胞を活性化するフラワーエッセンスの効能を、ポジティブな言葉による催眠学的効果との相乗作用により増幅せしめた、フラワーエッセンスを含有した健康飲食品、化粧品等の美容関連品及び健康関連製品を提供することを課題とする。【解決手段】本発明は、フラワーエッセンスの有す、感情の癒し的側面を、フラワーレメディーにおいて、各フラワーエッセンスが処方される、対応したるネガティブな各感情に対して、適切なポジティブな言葉を催眠学的に表示することで、フラワーエッセンスの効能を増幅させたうえで、フラワーエッセンスを含有した健康飲食品、化粧品等の美容関連品及び健康関連製品を製造することにある。【特許請求の範囲】
【請求項１】
ネガティブな感情を癒すことで、身体に治癒的効果をもたらすフラワーレメディーにおける素材たる、フラワーエッセンスの効能を、ポジティブな言葉による催眠学的効果との相乗作用により増幅せしめた、フラワーエッセンスの含有物
【請求項２】
フラワーエッセンスを１種又は２種以上含有することを特徴とする健康飲食品
【請求項３】
フラワーエッセンスを１種又は２種以上含有することを特徴とする化粧品等の美容関連品
【請求項４】
フラワーエッセンスを１種又は２種以上含有もしくは付属することを特徴とする健康グッズ
【発明の詳細な説明】
【０００１】
【発明が属する技術分野】
本発明は、ポジティブな言葉による催眠学的効果との相乗作用により、フラワーエッセンス自体が有す素材効果が増幅された、フラワーエッセンスの含有物及び構成物に関するものである。
【０００２】
【従来の技術】従来の健康飲食品や化粧品等、広く美容的側面に貢献する製品は、素材の有す物質的効果にのみ注目し開発された製品である。
【０００３】
しかし、狭く美容面に留まらず、細胞の活性化においては、感情の癒し的側面が多大な効果をもたらすのは今日の医学的常識である。
【０００４】
【発明が解決しようとする課題】
素材自身が物質的効果と併して感情を癒す効果で細胞を活性化するフラワーエッセンスの効能を、ポジティブな言葉による催眠学的効果との相乗作用により増幅せしめた、フラワーエッセンスを含有した健康飲食品、化粧品等の美容関連品及び健康関連製品を提供することを課題とする。
【０００５】
【課題を解決するための手段】
本発明は、フラワーエッセンスの有す、感情の癒し的側面を、フラワーレメディーにおいて、各フラワーエッセンスが処方される、対応したるネガティブな各感情に対して、適切なポジティブな言葉を催眠学的に表示することで、フラワーエッセンスの効能を増幅させたうえで、フラワーエッセンスを含有した健康飲食品、化粧品等の美容関連品及び健康関連製品を製造することにある。
【０００６】
【発明の実施の形態】
フラワーエッセンスの効果を催眠学的に高める手段、たとえば製品パッケージ等への催眠効果のある言葉や文章の表示、活字以外の音声や映像も含めてにより、フラワーエッセンスを含有した健康飲食品、化粧品等の美容関連品及び健康関連製品を製造する。
【０００７】
【実施例】
以下、実施例を挙げて本発明を更に詳述するも、本発明はこれらに限定されるものではない。
【０００８】
実施例１．単体製品としてのフラワーエッセンスの製品パッケージに、フラワーエッセンスの効果を催眠学的に高める言葉、文章、図の表示、活字以外の音声や映像が付属した製品。たとえば、フラワーエッセンスの内、ロックローズはパニックに陥りやすい人に効果的な製品であるが、製品パッケージや効能書きに、前向きに冷静に対処できることを示唆する言葉、文章、イラストを印刷表示もしくは、製品付属品のＣＤ等の音声、映像メディアに同様の内容を記録したフラワーエッセンス製品。
【０００９】
実施例２．フラワーエッセンスを含有した飲料水の製品パッケージに、含有されたるフラワーエッセンスの効果を催眠学的に高める言葉、文章、図の表示、活字以外の音声や映像が付属した健康飲料水。たとえば、フラワーエッセンスの内、ロックローズはパニックに陥りやすい人に効果的な製品であるが、飲料水パッケージや効能書きに、前向きに冷静に対処できることを示唆する言葉、文章、イラストを印刷表示もしくは、製品付属品のＣＤ等の音声、映像メディアに同様の内容を記録した健康飲料水。
【００１０】
実施例３．フラワーエッセンスを含有した健康食品の製品パッケージに、含有されたるフラワーエッセンスの効果を催眠学的に高める言葉、文章、図の表示、活字以外の音声や映像が付属した食品。たとえば、フラワーエッセンスの内、エルムはプレッシャーに弱い人に効果的な製品であるが、食品パッケージや効能書きに、重圧に負けず、気力で乗り切ることを示唆する言葉、文章、イラストを印刷表示もしくは、製品付属品のＣＤ等の音声、映像メディアに同様の内容を記録した健康食品。
【００１１】
実施例２や実施例３で記した健康飲食品とは、調味料も含めた、フラワーエッセンス含有または構成要素とするところのあらゆる飲食品を指す。また、本発明はペット用の飲食品にも適用される。
【００１２】
実施例４．フラワーエッセンスを含有した化粧品類等の美容関連品の製品パッケージに、含有されたるフラワーエッセンスの効果を催眠学的に高める言葉、文章、図の表示、活字以外の音声や映像が付属した化粧品類等の美容関連品。たとえば、フラワーエッセンスの内、クラブアップルは悩みやすい人に効果的な製品であるが、化粧品類等の美容関連品のパッケージや効能書きに、些細なことで悩まず、大らかに生きるを示唆する言葉、文章、イラストを印刷表示もしくは、製品付属品のＣＤ等の音声、映像メディアに同様の内容を記録した化粧品類等の美容関連品。
【００１３】
実施例４における化粧品類等の美容関連品とは、化粧品のみならず、シャンプーや石鹸類、入浴剤等の美容関連品をも含む。
【００１４】
実施例５．フラワーエッセンスを含有または付属または構成した、健康関連品の製品パッケージもしくは製品自体に、フラワーエッセンスの効果を催眠学的に高める言葉、文章、図の表示、活字以外の音声や映像が付属した健康関連製品。たとえば、フラワーエッセンスの内、クラブアップルは悩みやすい人に効果的な製品であるが、健康関連製品のパッケージや効能書きまたは製品自体に、些細なことで悩まず、大らかに生きるを示唆する言葉、文章、イラストを印刷表示もしくは、製品付属品のＣＤ等の音声、映像メディアに同様の内容を記録した健康関連製品。具体的な例としては、フラワーエッセンスの効果を催眠学的に高める言葉、文章、図の表示された、衣服類や寝具、カード類で、これらはフラワーエッセンスを含有または付属または製品構成の要素に加えたものである。
【００１５】
実施例４や実施例５における化粧品類等の美容関連品及び健康関連製品は、ペット用にも適用される。
【発明の効果】
本発明は、フラワーレメディーにおいて使用されるフラワーエッセンスの薬効を、各フラワーエッセンスが処方される基準となるネガティブな感情に対して、催眠学的手段（言葉、文章、図、音声や映像等）により薬効を高めた上で、フラワーエッセンスを含有した製品の効果を増幅せしめるものである。
(57)【要約】【課題】簡便で危険性が全くなく、しかも低価格で自然界から汚染のないクリーンな状態の超ミネラル成分を採取することができるようにした超ミネラル材の製法とする。【解決手段】粒状に砕いた岩石をクエン酸を添加、あるいはクエン酸内に浸漬して超ミネラル成分を溶出させることとし、前記した粒状に砕いた岩石は略３ｍｍサイズのキューブ形状としてあることとし、前記した粒状に砕いた岩石は事前に数時間の加熱を与えることとし、前記した加熱は湯による煮沸としたこととし、前記した溶出させた超ミネラル成分に酸性の強い薬効温泉源湯を添加することとする。【選択図】　　　　　なし【特許請求の範囲】
【請求項１】
粒状に砕いた岩石をクエン酸を添加、あるいはクエン酸内に浸漬して超ミネラル成分を溶出させることを特徴とする超ミネラル材の製法。
【請求項２】
前記した粒状に砕いた岩石は略３ｍｍサイズのキューブ形状としてあることを特徴とする請求項１に記載の超ミネラル材の製法。
【請求項３】
前記した粒状に砕いた岩石は事前に数時間の加熱を与えることを特徴とする請求項１または請求項２に記載の超ミネラル材の製法。
【請求項４】
前記した加熱は湯による煮沸としたことを特徴とする請求項３に記載の超ミネラル材の製法。
【請求項５】
前記した溶出させた超ミネラル成分に酸性の強い薬効温泉源湯を添加することを特徴とする請求項１、請求項２、請求項３または請求項４に記載の超ミネラル材の製法。
【発明の詳細な説明】
【０００１】
【発明の属する技術分野】
本発明は超ミネラル材の製法、特に自然界に存在している超ミネラル成分を容易な手段でしかも低廉にて得ることができる超ミネラル材の製法に関する。
【０００２】
【発明の背景】
従来より、自然の岩石の表面にある種の植物が生育していることが知られている。これは、その植物の根毛から微弱な酸が放出され、岩石の一部を溶かし、雨水等とともに溶解して得られた超ミネラル成分を吸収して栄養素としていることが解明されている。
【０００３】
一方、人工的に栽培され、育成、養殖された植物は、その栽培等の過程で、除菌、滅菌、殺菌等のほか、強制的な成育剤を散布したり、肥料に混入するため、薬剤で汚染され、人体にも悪影響を与え、奇形や神経等の障害の一因とも目されている。
【０００４】
係る観点から、従来、汚染のない自然岩石を砕き、それに濃硫酸を添加することで岩石の組成を溶かし、包まれている超ミネラル成分を溶出させることが行なわれていた。
【０００５】
【発明が解決しようとする課題】
しかしながら、この濃硫酸を使用しての超ミネラル成分の溶出は、非常に高価格なものとなってしまい、実用性に乏しいものであった。加えて、濃硫酸は極めて危険性の高い劇薬で、取り扱いに少しでも不具合があると、火傷を負ったり、有害ガスを吸引してしまう虞もあり、簡単に作業することができるものではなかった。
【０００６】
【発明の目的】
そこで、本発明は上記した従来の実情、問題点に着目してなされたもので、かかる問題点を解消して、簡便で危険性が全くなく、しかも低価格で自然界から汚染のないクリーンな状態の超ミネラル成分を採取することができるようにした超ミネラル材の製法を提供することを目的としている。
【０００７】
【課題を解決するための手段】
この目的を達成するために、本発明に係る超ミネラル材の製法は粒状に砕いた岩石をクエン酸を添加、あるいはクエン酸内に浸漬して超ミネラル成分を溶出させることを特徴とし、前記した粒状に砕いた岩石は略３ｍｍサイズのキューブ形状としてあることを特徴とし、前記した粒状に砕いた岩石は事前に数時間の加熱を与えることを特徴とし、前記した加熱は湯による煮沸としたことを特徴とし、前記した溶出させた超ミネラル成分に酸性の強い薬効温泉源湯を添加することを特徴としている。
【０００８】
【作用】
かかる構成としたことによって、何人もが、簡単に、しかも何らの危険性を伴なうことなく、非常な低価格によって、自然界の岩石から、そこに含有されている超ミネラル成分を得ることができるもので、飲料としては勿論、健康食品の成分として、あるいは化粧品等への配合等幅広く応用使用することができる。
【０００９】
しかも、加熱によって消毒され、滅菌、殺菌処理も施されるので身体にとって害を及ぼす虞もなく、強酸性の薬効温泉源湯を加えれば、防腐作用を保有し、長時間に亘っての腐敗やカビの発生等も防止することができるものとなっている。
【００１０】
【発明の実施の形態】
次に、本発明の好ましい実施の例を説明する。まず、自然界に存在する岩石から粒状に砕いた状態のものを採取する。この採取には削岩機を使用することも勿論可能であるが、ノミやハンマーによって断片的に切削、掻き取ることも可能である。
【００１１】
こうして得られた粒状に砕いた岩石は３ｍｍ角程度を想定しているが、この大きさは極端に大きかったり、小さかったりしなければ特にこだわるものではない。
【００１２】
この粒状に砕いた岩石は、自然界に存在していたものであることから、鍋等の容器を用いて、湯内で煮沸し、高温による滅菌、殺菌処理を施す。
【００１３】
この煮沸による処理を終えた粒状に砕いた岩石に対し、クエン酸を容器内において添加するか、あるいは溶解水、特に水和物内に浸漬する。
【００１４】
ここで、クエン酸は三塩基性ヒドロキシカルボン酸の一種で、レモンやミカン等の柑橘類の果実中に含まれている酸味成分でレモン果汁には５〜８％程度含まれている。工業的にはショ糖をクロカビで発酵させるクエン酸発酵により合成され、実験室的にはｓｙｍ−ジクロロアセントンのシアノヒドリンを塩酸で加水分解、生成するジクロロヒドロキシイソ酪酸をシアン化カリウムと処理してから塩酸で加水分解する。菓子や清涼飲料の酸味として添加されるほかに、塩類は医薬品として用いられるもので、毒性もなく、取り扱い上の危険性も格別にはないものである。
【００１５】
かかるクエン酸の添加あるいはクエン酸溶液への浸漬によって粒状に砕かれた岩石はイオン化して溶解し、砕かれた岩石中に含有されていた超ミネラル成分を溶出することとなる。
【００１６】
こうして得られた超ミネラル成分は天然水等に混ぜ飲料して用いられるほか、粒状、パウダー状、ペースト状、顆粒状、溶液、あるいはカプセル入りとして健康食品として用いたり、化粧品への混入等種々の使用用途が考えられる。
【００１７】
また、例えば得られた超ミネラル成分を飲料として溶解した場合等に、強酸性の液、例えば秋田県の玉川温泉の薬効温泉源湯等を添加しておくと、防腐や防カビ効果を奏し、長時間に亘る保存にも耐えることが可能となる。
【００１８】
【発明の効果】
本発明に係る超ミネラル材の製法は上述のように構成されている。そのため、自然界に存在する天然の超ミネラル成分を格別な危険性もないクエン酸を媒体として溶出することができるのであり、その原価、加工経費ともに極めて低廉なもので済むものとなっている。そして、得られた超ミネラル材は広範囲な物品に対して使用することができ、処理によっては長時間に亘っての保存が可能となる。
(57)【要約】　　　（修正有）【課題】表皮の奥迄水虫治療薬液を浸透させ水虫歯並びに雑菌を殺菌すること。又靴内の悪臭を絶つ事。【解決方法】足に内靴下を履き、次に水虫治療薬液を透過しない袋を履き、上靴下又は伸縮性の有る袋を履き、内靴下へ５０％以上の消毒用アルコール又は５０％以上の消毒用アルコールを基材とした、例えば塩基系消毒液（次亜塩素酸ナトリューム溶液）又は其の他消毒薬を稀釈した水虫治療薬液を踝までか水虫菌又雑菌の消毒個所上まで入れる事で、少ない量で広範囲を浸漬、水虫菌・雑菌を殺菌する事が出来る。浸漬により次々と表皮が剥がれ表皮の代謝を極端に早くする。２回程表皮が剥がれれば完治する。治療を始めると同時に毎日靴下の殺菌・消毒靴内の高濃度消毒用アルコールでの消毒を完全にする。各所マツトも消毒して再感染を防ぐ。靴マツトは完治後も週１回は消毒する。高濃度消毒用アルコールでの靴内の消毒によつて悪臭も完全に絶つことが出来る。【選択図】　図１
2004091458.tif 000002
【特許請求の範囲】
【請求項１】
水虫治療に　５０％以上の消毒用アルコールそのものを使用するか、　５０％以上の消毒用アルコールを基剤とした　水虫治療薬以外の消毒薬　例えば（次亜塩素酸ナトリューム）又は各種消毒薬、を稀釈した水虫治
療薬液に，足・手を浸漬する治療方法である。
【請求項２】
足に内靴下を履き、液漏れしない袋に足を入れて、上靴下を履くか伸縮性蜜着性の有る袋を履いて　水虫治療薬液がくるぶしか治療個所の上迄来るように入れ、浸漬する治療方法と　手に手袋をはめ、ゴム手袋又は薬液が漏れない手袋をはめ、水虫治療薬液を手首まで入れ　手袋を締めて、浸
漬する治療方法である。
【請求項３】
７０％以上の消毒用アルコールにて　靴内の内皮が充分アルコールを吸い込む程入れ　消毒することで　靴の悪臭を無くする　靴内　殺菌・
消臭法　である。
【発明の詳細な説明】
【０００１】
【産業上の利用分野】
この発明は水虫の患部はもとより　水虫菌又は雑菌の付着範囲以上の所を水虫治療薬液に　数十分から時間単位で浸漬し，角質層を柔らげ　表皮全体に５０％以上の消毒用アルコール　又水虫治療薬液を浸透させ　水虫菌並びに他の雑菌を　殺菌・消毒　死滅させる浸漬治療方法である　朝・晩か　出来きれば１日３回　数１０分〜時間単位で１５日〜２０日間浸漬　その間２回程の　表皮がボロボロと剥離する様になつたら治療を止め　あとは表皮がウロコ状になり　自然に剥離し始めたら　湯を入れた容器に足を浸し　指で触る程度で取れる程度のものを取り　日を置いて繰り返し　きれいになれば完
治である。
【０００２】
【従来の技術】
従来は患部に太陽灯を当てるか　患部の局部に少量の水虫薬を塗つているが、浸透性も悪く、それでは足全体に繁殖している，水虫菌・雑菌の根絶は難
しくすぐ又各所で繁殖し、長期間水虫に悩まされているのが現状である。
【０００３】
【発明が解決しようとする課題】
（１）　従来の治療方法は　水虫菌が極度に繁殖した目に見える部分の　局部治療法である。
（２）　投薬治療も副作用が心配である。
（３）　かゆみが　なかなか止まらない。
（４）　局部治療の為　治療に長期間かけても　根本的に治療しない為　なかなか根治しない。
（５）　病院へゆくことの時間が大変である。
（６）　家庭　職場　何処でも　いつでも治療出来る事。
【０００４】
【課題を解決する為の手段】
本水虫治療方法は　５０％以上の消毒用アルコール　又は５０％以上の消毒用アルコールにて　例えば（次亜塩素酸ナトリューム）　又他の消毒薬を稀釈した水虫治療薬液にて　局部を含め　広い範囲を浸漬　殺菌　消毒　する全体治療方法である。
又高濃度の消毒用アルコールで　靴内を消毒する事で　靴の悪臭を消すことが出きる事を発明した。
【０００５】
【発明の実施の形態】
本発明の実施について説明する。
（１）　５０％以上の消毒用アルコールか　５０％以上の消毒用アルコールにて例えば塩素系消毒液（次亜塩素酸ナトリューム７〜１０ｐｐｍ程の溶液）其の他消毒液を稀釈して　水虫治療薬液を作る。
（２）　足に内靴下を履き　其の上を薬液不透過性の袋を履き　上靴下又は伸縮性の袋を履く　水虫治療薬液を局部お含む　踝迄入れ　　水虫治療薬液が　足首又は水虫局所以上迄上がつたことを確認する。
（３）　手の水虫は手袋をはめた上に　ゴム手袋をはめ水虫治療薬液を入れ手首を締める。
（４）　水虫治療薬液にて　朝・晩か又１日３回　数１０分〜時間単位で　１５日〜２０日間　浸漬し　２回目の表皮が剥離しはじめたら止めて　鱗の様になつて剥離し始めたら　容器に足首以上に湯を入れ無理をせず指でこすつて取れる程度を取る　日をおいて繰り返し　表皮が取れれば完治である。表皮が　ガバガバ　剥がれても痛くない。
（５）　靴下は毎日　消毒か　熱湯殺菌する。完治後もしばらく続ける。
（６）　靴は２足用意し　初期には週２〜３回ほど　完治後も週１回　高濃度７０％以上のアルコールにて靴の　内皮・内布が　充分アルコールを吸い込む程の量を入れ　靴内を充分消毒をする。
（７）　床マツトをたえず　殺菌　消毒する。
（８）　高濃度アルコールの為　アルコールの使用上の注意を尊守する事。
（９）　次亜塩素酸ナトリュームは漂白性が有るため　衣類への付着には充分な注意を必要とする。
【発明の効果】
本発明は　手・足の　水虫菌・雑菌　の繁殖すると考えられる場所以上の所の　広範囲を　５０％以上の消毒用アルコール又は　水虫治療薬液に浸漬して　角質・表皮を柔らかくし　表皮の深部まで水虫治療薬液が浸透　表皮が２回程剥離　消毒用アルコールの浸漬により　急速に表皮が剥がれ　表皮の代謝を極端に早くし　水虫菌を完全に殺菌・根絶する事が出きることを発明した。上靴下を履く事でそのまま行動しても　外観上は分からない。又靴を
消毒　殺菌　する事で　靴の悪臭を消す事が出きることを発明した。
【図面の簡単な説明】
【図１】本発明の断面図。
【図２】本発明の薬液不透過袋
【図１】
2004091458.tif 000003
【図２】
2004091458.tif 000004
(57)【要約】【課題】世界の３大長寿村といわれるコーカサス地方、ビルカバンバ、フンザは高地にあり低地より飲用水の重水素濃度は低く、その水を飲んでいる住民の体内の重水素濃度も低いと考えられる。一方で、低地生活者の体内の重水素濃度は１５０ｐｐｍであり高地生活者の方が体内の重水濃度が低く健康で長寿であるといわれる。そのため低地生活者の体内の重水濃度を低下させれば、若返り、健康維持ができると考えられる。【解決手段】本発明は、低地生活者の体内の重水素濃度を重水素減少水（スーパーライトウォーター）を飲むことによって低下させ、若返り、健康維持をおこなう方法、及び重水素減少水（スーパーライトウォーター）の製造方法である。【特許請求の範囲】
【請求項１】
水と、１３０〜１４６ｐｐｍの含有量の重水素を有し、又は、活性剤として、１３０〜１４６ｐｐｍの含有量の重水素を含み、担体又は助剤と共に、製薬学的な製品或いは医薬溶液の形での、ヒトに適する水性溶液である、重水素減少水（スーパーライトウォーター）飲用による重水素濃度の低下による若返り、健康維持方法。
【請求項２】
重水素含有量が１３０〜１４６ｐｐｍの重水素減少水（スーパーライトウォーター）は、重水素含有量が２５ｐｐｍの重水素減少水（スーパーライトウォーター）と水を混合して作る製造方法。
【発明の詳細な説明】
【０００１】
【発明の属する技術分野】
本発明は、体内の重水濃度を１３０〜１４６ｐｐｍにすることを重水素減少水（スーパーライトウォーター）を飲むことによっておこなうものである。
【０００２】
【従来の技術】
一般に低地で生活している人間の重水素濃度は１５０ｐｐｍであり、飲用水の重水素濃度も１５０ｐｐｍである。
【０００３】
一方で、世界の３大長寿村といわれるコーカサス地方、ビルカバンバ、フンザは高地にあり低地より飲用水の重水素濃度は低く、その水を飲んでいる住民の体内の重水素濃度も低いと考えられる。
【０００４】
【発明が解決しようとする課題】
世界の３大長寿村の高地生活者は、体内の重水濃度が１４４〜１４４．２ｐｐｍ程度と考えられ、低地生活者より健康で長寿であるといわれる。低地生活者の体内の重水素濃度は１５０ｐｐｍであり、若返り、健康維持のため体内の重水濃度を世界の３大長寿村の高地生活者と同等にする。
【０００５】
【課題を解決するための手段】
本発明者等は係る課題を解決するために鋭意研究したところ、若返り、健康維持のための重水素減少水（スーパーライトウォーター）の飲用方法、及び重水素濃度が１３０〜１４６ｐｐｍの重水素減少水（スーパーライトウォーター）の製造方法を開発し、本発明を提供するものである。
【０００６】
すなわち本発明は、若返り、健康維持に最適な重水素減少水（スーパーライトウォーター）の飲用方法を特徴とする重水素減少水（スーパーライトウォーター）の飲用方法、及びその重水素減少水（スーパーライトウォーター）の製造方法である。
【０００７】
【発明の実施の形態】
本発明は重水素減少水（スーパーライトウォーター）を毎日２〜３リットル飲むことにより効果が表れる。重水素濃度が低い重水素減少水（スーパーライトウォーター）を飲む方が体内の重水素濃度の低下は早い。
【０００８】
重水素濃度１３０〜１４６ｐｐｍの重水素減少水（スーパーライトウォーター）の製造は、水と重水素濃度２５ｐｐｍの重水素減少水（スーパーライトウォーター）を混合することによって製造できる。混合比をもとめる数式は図１となり、混合比は下記の表のようになる。
2004091460.tif 000002
2004091460.tif 000003
【０００９】
【発明の効果】
以上説明したように、本発明によれば重水素濃度１３０〜１４６ｐｐｍの重水素減少水（スーパーライトウォーター）を飲用することにより体内の重水濃度を低下させ、若返り、健康維持ができる。また、重水濃度２５ｐｐｍの重水素減少水（スーパーライトウォーター）と水を混合することにより、重水素濃度１３０〜１４６ｐｐｍの重水素減少水（スーパーライトウォーター）は容易に製造することができる。
【図面の簡単な説明】
【図１】重水素濃度２５ｐｐｍの重水素減少水（スーパーライトウォーター）と水の混合比をもとめる数式。
【符号の説明】
Ｘ・・・・・重水素濃度２５ｐｐｍの重水素減少水（スーパーライトウォーター）１に対する水の量
Ｙ・・・・・製造する重水素減少水の重水濃度
【図１】
2004091460.tif 000004
(57)【要約】【課題】水虫を治す。【解決手段】沖縄島ニンニクを１個、薄皮がついたままで縦に２つに切ります。切った島ニンニクを水虫の出ている患部に約１０分手ですり込み患部に島ニンニクを付けたまま、さらに約１０分手で揉みます。そして、島ニンニクを患部に付けたままで包帯で約３時間巻いておきます。３時間後、包帯をはずし、沖縄のシークヮーサーを２つに切つて、患部に付け、手で少しつぶして約１０分すり込んだり、揉んだりします。そして、シークヮーサーを患部に付けたまま包帯で約３時間巻いておきます。このようにして１回の治療で水虫が完治します。【選択図】【特許請求の範囲】
【請求項１】
水虫を治す沖縄島ニンニクと沖縄のシークヮーサーを組合わせたもの
【発明の詳細な説明】
【０００１】
【発明の属する技術分野】
【０００２】
【従来の技術】
【０００３】
【発明が解決しようとする課題】
水虫
【０００４】
【課題を解決するための手段】
沖縄島ニンニクを１個、薄皮がついたままで縦に２つに切ります。
切った島ニンニクを水虫の出ている患部に約１０分手ですり込み患部に島ニンニクを付けたまま、さらに約１０分手で揉みます。
そして、島ニンニクを患部に付けたままで包帯で約３時間巻いておきます。
３時間後、包帯をはずし、沖縄のシークヮーサーを２つに切って、患部に付け、手で少しつぶして約１０分すり込んだり、揉んだりします。
そして、シークヮーサーを患部に付けたまま包帯で約３時間巻いておきます
このようにして１回の治療で水虫が完治します。
【０００５】
【発明の実施形態】
【０００６】
【実施例】
沖縄島ニンニクを１個、薄皮がついたままで縦に２つに切ります。
切った島ニンニクを水虫の出ている患部に約１０分手ですり込み患部に島ニンニクを付けたまま、さらに約１０分手で揉みます。
そして、島ニンニクを患部に付けたままで包帯で約３時間巻いておきます。
３時間後、包帯をはずし、沖縄のシークヮーサーを２つに切って、患部に付け、手で少しつぶして約１０分すり込んだり、揉んだりします。
そして、シークヮーサーを患部に付けたまま包帯で約３時間巻いておきます
このようにして１回の治療で水虫が完治します。
【０００７】
【発明の効果】
１回の治療で水虫が治る。
(57)【要約】【課題】収納された半導体装置２２の外部端子２５がエンボス２３内の底部に接触している。そのため、エンボステーピング包装状態での輸送時の振動により外部端子２５の変形及び、外部端子２５が擦りつけられることによりエンボス２３表面上の静電破壊防止用導電性材料等のコーティング材が剥離することによる外部端子２５への異物付着が半導体装置２２の実装歩留りを低下させる要因の１つになっている。【解決手段】外部端子が実装面にある半導体装置用テーピング容器のエンボス部に半導体装置の受け台（突起）を設置することにより外部端子のエンボス内部への接触を防止し、半導体装置の実装信頼性、生産性の向上を実現できるものである。【選択図】　図１
2004091036.tif 000002
【特許請求の範囲】
【請求項１】
テープ状態の容器に形成されたエンボスに半導体装置を収納し、エンボスの上部開口部にカバー用テープを接着し半導体装置を封するようにした半導体収納容器において、前記容器のエンボス内部に、収納する半導体装置受け台（突起）を設置されたことを特徴とする半導体装置の製造装置。
【請求項２】
前記半導体収納容器のエンボス内部の受け台（突起）を半導体装置の外部端子がエンボス内部に接触しない形状、寸法に設置されたことを特徴とする半導体装置の製造装置。
【請求項３】
前記半導体収納容器に半導体装置収納後にエンボス底部に穴を追加して半導体装置における外部端子の外観検査及び半導体装置の電気的特性検査を実施することを特徴とする半導体装置の検査方法。
【発明の詳細な説明】
【０００１】
【発明の属する技術分野】
本発明は、半導体装置収納用容器に関するものであり、特にエンボステーピング包装用の半導体装置の製造装置に関するものである。
【０００２】
【従来の技術】
近年、電子機器の小型軽量化、高機能化に伴い、半導体装置は小型化、高密度化、多端子化への対応を要求され、それに対応するパッケージとしてＣＳＰ（Ｃｈｉｐ　Ｓｃａｌｅ　Ｐａｃｋａｇｅ）に代表されるような半導体装置の実装面に格子状に外部端子が存在するＢＧＡ（Ｂａｌｌ　Ｇｒｉｄ　Ａｒｒａｙ）、ＬＧＡ（Ｌａｎｄ　Ｇｒｉｄ　Ａｒｒａｙ）タイプのものが多数開発されている。それらの半導体装置包装の多くは電子機器製造用プリント基板への実装を容易にするため、エンボステーピング包装を用いている。
【０００３】
図２は従来のエンボステーピング包装用のＣＳＰ（ＢＧＡタイプ）と呼ばれる半導体装置の収納容器の一例である。
【０００４】
図２に示すとおり収納する半導体装置の外形に適合したエンボスが一列に並んだテーピング容器を有し、そのエンボス内に半導体装置を収納した上でエンボス上部開口部をカバー用テープで封するという構成となっている。テーピング容器２１には、半導体装置２２を収納可能なエンボス２３が一列に並んで形成され、このエンボス２３内に半導体装置２２を収納し、その上でエンボス２３の上部開口部を封するようにカバー用テープ２４を接着させている。その際、収納された半導体装置２２の外部端子２５はエンボス２３内の底部に接触している。
【０００５】
【発明が解決しようとする課題】
このような従来のテーピング包装の半導体装置収納用容器では、収納された半導体装置２２の外部端子２５がエンボス２３内の底部に接触している。そのため、エンボステーピング包装状態での輸送時の振動により外部端子２５の変形及び、外部端子２５が擦りつけられることによりエンボス２３表面上の静電破壊防止用導電性材料等のコーティング材が剥離することによる外部端子２５への異物付着が半導体装置２２の実装歩留りを低下させる要因の１つになっている。
【０００６】
【課題を解決するための手段】
本発明は前記した従来の課題および今後の半導体装置の動向に対応できる半導体装置収納用容器を提供するものであり、テーピング容器のエンボス部に半導体装置の受け台（突起）を設置することにより外部端子のエンボス内部への接触を防止し、半導体装置の実装信頼性、生産性の向上を実現できるものである。
【０００７】
【発明の実施の形態】
以下、本発明の半導体装置収納用容器の概略について図面を参照しながら説明する。図１は本実施形態の一例を示す図である。
【０００８】
図１に示すとおり、テーピング容器１１には、半導体装置１２を収納可能なエンボス１３が一列に並んで形成され、このエンボス１３内に半導体装置１２を収納し、その上でエンボス１３の上部開口部を封するようにカバー用テープ１４を接着させている。その際、エンボス１３内部には収納された半導体装置１２の外部端子１５に接触しない様に設計された受け台（突起部）１６が設置されている。
【０００９】
この構成によればテーピング容器１１のエンボス１３内に半導体装置１２を収納し、エンボス１３の上部開口部をカバー用テープ１４を用いて封すれば、半導体装置１２はエンボス１３内部の受け台（突起）１６とカバー用テープ１４により外部端子１５がエンボス１３内部に接触することなく固定されることになる。それにより外部端子１５の変形や異物付着が防止される。
【００１０】
ここでの半導体装置１２は実施例にあるようなＣＳＰ（ＢＧＡタイプ）と呼ばれるものに限らず、ＬＧＡタイプ等外部端子１５が半導体装置１２の実装面にあるものでも同様の効果がある。
【００１１】
また、半導体装置１２を半導体装置の製造装置に収納状態で外部端子の外観検査や外部端子１５への外部からの電気接触により電気的特性検査を考えた場合、エンボス１３底部に検査用の穴を設置しても半導体装置１２がテーピング容器１１とカバー用テープ１４により、ほぼ固定されているため、容易に可能である。
【００１２】
【発明の効果】
以上、本発明の半導体装置収納用容器はテーピング容器のエンボスに半導体装置の受け台（突起）を設置することにより、半導体装置外部端子のエンボス内部への接触を無くし、エンボステーピング包装状態での輸送時の振動により外部端子の変形及び、外部端子がエンボスに擦りつけられることによりエンボス表面上の静電破壊防止用導電性材料等のコーティング材が剥離することによる外部端子への異物付着が防止できる。さらにそれにより半導体装置の実装歩留り向上を実現でき、結果として実装信頼性、生産性向上を実現できるものである。
【図面の簡単な説明】
【図１】本発明の半導体装置収納用容器の一実施の形態を示す図
【図２】従来の半導体装置収納用容器の一実施例を示す図
【符号の説明】
１１　テーピング容器
１２　半導体装置
１３　エンボス
１４　カバー用テープ
１５　外部端子
１６　受け台（突起）
２１　テーピング容器
２２　半導体装置
２３　エンボス
２４　カバー用テープ
２５　外部端子
【図１】
2004091036.tif 000003
【図２】
2004091036.tif 000004
(57)【要約】【課題】ビニール製のパックでチャックがつくことで内部の防水性を保つ。またシャワーの止め具に掛けることで、足元に置く等の視野から外れることを避けることを提供する。【解決手段】パックの中に物を入れ、チャック（２）をして、防水効果をあげる。シャワーの止め具に輪（１）を掛けて目先に置くことを特微とする。【選択図】図１
2004091043.tif 000002
【特許請求の範囲】
【請求項１】
シャワーの止め具に掛けることの出来る輪が付いているチャックの付いたビニール製のパック。
【発明の詳細な説明】
【０００１】
【発明の属する技術分野】
本発明は、チャック付きのビニール製のパックであり、シャワー時、シャワーの止め具に掛けることの出来る輪を付属した技術に関するものである。
【０００２】
【従来の技術】
従来のチャック付きのビニール製のパックはシャワーの止め具に掛けることはできなかった。
【０００３】
【発明が解決しようとする課題】
タオル等の貴重品をシャワールームにおくことが出来なかった。またおくことにより濡れていた。
従来のビニール製のパックはシャワーの止め具に掛けることまで考慮されていなかった。
本発明は、これらの欠点を除くためになされたものである。
【０００４】
【課題を解決するための手段】
ビニール製のパックの上部（１）にシャワーの止め具に掛けれる輪を付け、またパック内がシャワーにて濡れることがないようにチャック（２）を付けた。
【０００５】
【発明の実施の形態】
以下、本発明の形態について説明する。
上部にシャワーの止め具に掛けるための輪がある。
チャックがありパックを密封できる。
【０００６】
【発明の効果】
本発明は以上に説明したような構成により次のような効果を奏する。
請求項１に記載されている発明はビニール製のパックでチャックがあることにより内部の防水性が保たれる。また、シャワーの止め具に掛けることができるので目の前におくことができ、足元等による置き忘れや、踏んだりすることがない。
【図面の簡単な説明】
【図１】本発明の全体図である。
【符号の説明】
１シャワーの止め具に付ける輪
２　パックの密封用チャック
【図１】
2004091043.tif 000003
(57)【要約】【課題】従来のウオーターボトルでは底部が平らで上部が突起状態の為に，重ねて置くことがでませんでした。その為に輸送や保管するためのスペースがその分余分に必要でした。もし従来の方法で重ねる必要が生じた場合は棚等を新たに用意する必要がありました。この場合，このウオーターボトルに合う棚を捜す必要があります。仮にウオーターボトルに合う棚を作成しても，ウオーターボトルより大きい為に余分なスペースが必要であり，余分な労力や出費が掛かります。このような不便を，注ぎ口を従来より低くして，底部を凹にし更に，ボトルを８角形の型にすることでウオーターボトルを重ねて輸送，及び保管することができきるようにする。【解決手段】ウオーターボトルの底部を凹にし，注ぎ口を低くし，８角形の型にすることで輸送や保管の為のコストやスペースを減らすことが可能になります。【選択図】図４
2004091044.tif 000002
【特許請求の範囲】
【請求項１】
プラスチック製ボトル容器の，底部を凹状にすることで重ねて保管できるようにしたウオーター等を入れるプラスチック容器。
【請求項２】
プラスチック製ボトル容器を８角形の型にすることで，縦の強度を増すことができるので，数段の重ね置きを可能にした。
【発明の詳細な説明】
【０００１】
【発明の属する技術分野】本発明はウオーターを入れる為のプラスチック容器の底部を凹にすることで重ね置きができるようにしたものであり，又容器を８角形の型にする事で縦方向の強度をまし，数段の重ね置きができるようにしたものである。
【０００２】
【従来の技術】従来のウオーターボトルでは，容器の輸送や保管をするのに一段しか置くことができず，その為に輸送や保管に余分のスペースが必要となり結果としてコストが割高になった。又，最終消費者でも同様に保管するために余分のスペースが必要になった。その理由は，約１９ｌ入るプラスチック容器を作る為には，ブロー成形で作るしか方法がなくこの方法で作ると底部は最大で約５センチしか凹状にすることが出来ず，上部の注ぎ口の凸部分が約１１センチあるので重ねることは不可な技術であった。（底部の強度の問題ということで）
【０００３】
【発明が解決しようとする課題】このウオーターボトルの容器では一段しか並べべることができないので，輸送や保管に掛かる経費が割高になるという問題点があった。又，消費者が保管する場合もウオーターボトルの保管スペースはほとんどなく，その結果，頻繁に配送を依頼せざるをえず結果，輸送費や通信費及びその為の手間が繁雑であった。
【０００４】
【課題を解決するための手段】ウオーターボトルの，底部を約８．３センチ凹にし，注ぎ口を従来の１１センチの高さから約７．８センチにして最低でも２段以上の積み重ねが可能になった。底部を８．３センチ上げると底部がもろくなるので，その解決方法として従来のφ２７０センチの所をφ３１０センチにして底部の強度を保つ。又，従来は全ての容器は円形なので，縦方向の圧力に弱かったので，８角形の型にする事で数段の重ね置きが可能になる。
【０００５】
【発明の実施の形態】ボトル底部を約８．３センチ凹形状にしてさらに注ぎ口を６．４センチの高さにする加工を施しブロー成形用の金型を作成する又，同時に８角形の型を施した金型を作成する。
【０００６】
【実施例】ブロー成形機により，考案したボトルの製品をつくる。
【０００７】
【発明の効果】ウオーターボトルを２段以上の積み重ねを可能にしたことで，輸送コストを半減することができ，又同時に家庭や事務所さらに保管倉庫でも従来の同スペースと比較して２から３倍の保管が可能になった。
【図面の簡単な説明】
【図１】本発明のウオーターボトルの上面図である。
【図２】本発明のウオーターボトルの側面図である。
【図３】本発明のウオーターボトルの底面図である。
【図４】本発明のウオーターボトルの断面図である。
【符号の説明】
１　　　　　　　　　　　　上面図
２　　　　　　　　　　　　側面図
３　　　　　　　　　　　　底面図
４　　　　　　　　　　　　断面図
【図１】
2004091044.tif 000003
【図２】
2004091044.tif 000004
【図３】
2004091044.tif 000005
【図４】
2004091044.tif 000006
(57)【要約】【課題】練り状歯みがき剤を抽出する場合、外部に取り付けて使用する押し出し保持具等を使わず、容易に抽出することを目的とした容器。【解決手段】容器の中の底板３−４に、底板引きだし糸３−５を一体化に設け、巻き上げつまみ３−７と一体化に形成された巻き上げ軸３−６に、底板引きだし糸３−５を巻き込む仕組に構成したものである。【選択図】図３
2004091046.tif 000002
【特許請求の範囲】
【請求項１】
容器の抽出口部分に、巻き上げ軸（３−６）と巻き上げつまみ（３−７）を一体化に形成し、容器の底に底板引き出し糸（３−５）を有する底板（３−４）を設け、底板引き出し糸を巻き上げ軸に巻き込み、底板を引き出す仕組みに構成したことを特徴とする、練り状歯みがき剤押し出し容器。
【請求項２】
容器の巻き上げ頭部（２−２）の部分に、巻き上げ軸（４−６）と巻き上げつまみ（４−７）と巻き上げ糸（４−１１）を一体化に形成し、カートリッジ部（２−１）の部分に、カートリッジ底板引きだし糸（４−１０）を有する底板（４−４）を設け、カートリッジ式に構成したことを特徴とする、請求項１記載の練り状歯みがき剤押し出し容器。
【発明の詳細な説明】
【０００１】
【発明の属する技術分野】
本発明は、練り状歯みがき剤入れ容器の中身を、底板を糸で引き出し容易に無駄なく、抽出できるようにしたものである。
【０００２】
【従来の技術】
従来の歯みがき剤入れにおいては、チューブ式の物が多く底部分の外部からの押圧による押し出し式や、手で押し潰して抽出する物が多かった。
【０００３】
【発明が解決しようとする課題】
従来の歯みがき剤入れ等にあっては、手で抽出する場合、内容量の減少などにより空気が入ってしまうと、抽出に不都合が生じ無駄ができたり、また底からの押し出し式や、チューブを押し潰す式の物が多く見られるが、それらの物はチューブと一体化に形成されていない為、器具の紛失や取り付け等に問題点があった。
【０００４】
【課題を解決するための手段】
上記目的を達成するためには、容器の中の底板に引きだし糸を取り付け、引きだし糸を巻き上げ軸に巻き込む仕組みに形成し、巻き上げつまみにて巻き上げ軸を回転させ、底板を引き出す目的として容器と一体化に構成したものである。
【０００５】
【作用】
容器を片手の中指、薬指、小指の３本で持ち、親指と人差し指とで、巻き上げつまみ３−７を回すことにより、底板引き出し糸３−５を巻き上げ軸３−６に巻き付けて、底板３−４を引き出すことにより生じる押圧により、歯みがき剤を、抽出口３−９より押し出すものである。
【０００６】
容器をカートリッジにした場合のカートリッジの交換時には、最初に巻き上げつまみ４−７を逆回しをして巻き上げ糸４−１１をゆるめ、カートリッジを巻き上げ糸４−１１の先端の円形部が見えるまで外してから、引きだし糸４−１０を巻き上げ糸４−１１の円形部から外し、新規のカートリッジの底板引きだし糸４−１０の先端の半円形部を、巻き上げ糸４−１１の円形部に取り付けて、巻き上げ軸４−６に巻き込みカートリッジを装着するものである。
【０００７】
【発明の実施の形態】
発明の実施例を、図を参照して説明する。
図１は容器の筒形状の場合の斜視図であるが、円形その他いろいろな形状に形成できるものだが、円筒形に形成した物の方が底板を引き出す時の底板の安定保持に良い。
【０００８】
図２はカートリッジにした場合の全体図であり、歯みがき入りカートリッジ部１と、頭部２、抽出口蓋３、巻き上げつまみ７となり、カートリッジ部は差し込みワンタッチ式または、ねじ込み式にする。
【０００９】
図３に示される実施例では、容器の中の底板４と底板引き出し糸５は一体化とし、巻き上げ軸６に取り付け、底板４の下部に厚さ５ｍｍ位の底板安定保持ゴム１３を貼り付け、巻き上げつまみ７は指の滑り止めとして筋線をいれ、巻き上げ軸６の中心部に巻き上げ糸５のずれ防止の目的として、幅６ｍｍ位のくぼみを設け、巻き上げ軸６と容器の隙間部分には、歯磨き剤の漏れを防ぐための外漏れ防止パッキン８を取り付ける。
【００１０】
図４に示される実施例では、カートリッジにした場合の断面図であり、底板引き出し糸１０の先端は半円形に固めに加工し、巻き上げ糸１１の先端も円形に固めに加工する。
【００１１】
【発明の効果】
本発明は、容器の中身の多少に関わらず抽出が容易であるとともに、カートリッジ式にした場合、新規のカートリッジを使用した時、使用後のカートリッジの糸巻き上げ頭部の残量を押し出し、容器の中身の無駄ができない利点もあり、又頭部２−２は何回でも使用可能であり、押し出し保持具等を使用することなく、又歯磨き剤用に限らずその他の練り状クリーム等、多用途に利用できるものである。
【図面の簡単な説明】
【図１】全体の斜視図である。
【図２】カートリッジ式にした場合の全体図である。
【図３】本体一体型式の場合の断面図である。
【図４】カートリッジにした場合の断面図である。
【符号の説明】
１　カートリッジ部
２　頭部
３　抽出部蓋
４　底板
５　底板引き出し糸
６　巻き上げ軸
７　巻き上げつまみ
８　外漏れ防止パッキン
９　抽出口
１０　カートリッジ底板引き出し糸
１１　巻き上げ糸
１２　歯磨き剤
１３　底板安定保持ゴム
【図１】
2004091046.tif 000003
【図２】
2004091046.tif 000004
【図３】
2004091046.tif 000005
【図４】
2004091046.tif 000006
(57)【要約】　　　（修正有）【課題】片手で本体をワインの口に押しかぶせ、ハンドルを一定方向に回すだけで、ワインのコルクを貫通する事なく抜くことが出来るワインのコルク抜きを提供する。【解決手段】通し穴の空いた逆ネジボルト（１）の上部と下部に各々ボルト抜け防止の為のストッパー（２）と（３）を設け、逆ネジボルト（１）先端に連結溝（４）を設ける。逆ネジボルト（１）の通し穴にドリル（５）を通し、ドリル（５）の後部を連結キー（６）付きのハンドル（７）に固定し、本体（８）に組み込む。【選択図】図３
2004091045.tif 000002
【特許請求の範囲】
【請求項１】
通し穴の空いた逆ネジボルト（１）の上部と下部に各々ボルト抜け防止の為のストッパー（２）と（３）を設け、逆ネジボルト（１）上部先端に連結溝（４）設ける。
逆ネジボルト（１）の通し穴にドリル（５）を通し、ドリル（５）の後部を連結キー（６）付きのハンドル（７）に固定し、本体（８）に組み込む。
以上の様に構成されたワインのコルク抜き。
【発明の詳細な説明】
【０００１】
【発明の属する技術分野】
この考案は、ハンドルを回すだけで楽にワインコルクを貫通する事なく抜く事が出来るワインのコルク抜きに関するものである。
【０００２】
【従来の技術】
従来、ハンドルを回し続け、ワインコルクを貫通させコルクが抜けるというワインのコルク抜きがあった。
【０００３】
【発明が解決しようとする課題】
これには次のような欠点があった。
（イ）　ドリルがコルクを貫通する為、コルク片がワイン中に混入したり、貫通したコルクを使用し、保存した時、ワインが漏れたりした。
【０００４】
【課題を解決する為の手段】
通し穴の空いた逆ネジボルト（１）の上部と下部に各々ネジ抜け防止の為のストッパー（２）と（３）を設け、逆ネジボルト（１）上部先端に連結溝（４）を設ける。逆ネジボルト（１）の通し穴にドリル（５）を通し、ドリル（５）の後部を連結キー（６）付きのハンドル（７）に固定し、本体（８）に組み込む。
【０００５】
【作用】
本体（１）の下部をワインのコルク部に押しかぶせ、ハンドル（７）を時計方向に回転させると、ドリル（５）はハンドル（７）に付いた連結キー（６）が連結溝（４）に連結する迄ワインのコルクに押し込まれ、さらに回転し続けると逆ネジボルト（１）が回転上昇し、ドリル（５）がワインのコルクを貫通する前に、ワインのコルクを瓶から抜くのである。
【０００６】
【実施例】
以下、本案の実施例について説明する。
（イ）　通し穴の空いた逆ネジボルト（１）の上部先端に連結溝（４）を設け、なおかつ逆ネジボルト（１）最下部に、逆ネジボルト（１）が抜け出さない為のストッパー（３）を設ける。
（ロ）　逆ネジボルト（１）の上部に、逆ネジボルト（１）のねじ込み過ぎ防止の為のストッパー（２）を設け、逆ネジボルト（１）の通し穴の下部の方からドリル（５）の後部を通し、ドリル（５）の後部先端を連結キー（６）付きのハンドル（７）に固定し、さらに本体（８）に組み込む。
【０００７】
【発明の効果】
本体（８）をワインのコルク口に押しかぶせ、ハンドルを時計方向に回すだけで、コルクを貫通することなく、楽にワインコルクを抜く事が出来るきわめて簡単なワインコルク抜きである。
【図面の簡単な説明】
【図１】本考案の斜視図である。
【図２】本考案の本体部分の断面図である。
【図３】本考案の一部を切り欠いた他の実施例を示す斜視図である。
【符号の説明】
１　逆ネジボルト
２　ストッパー
３　ストッパー
４　連結溝
５　ドリル
６　連結キー
７　ハンドル
８　本体
【図１】
2004091045.tif 000003
【図２】
2004091045.tif 000004
【図３】
2004091045.tif 000005
(57)【要約】【課題】現場での取り扱いが容易なリフタ装置を提供する。【解決手段】地面に固定される基台２１と、角穴掘削機１０及び覆工エレメントを搭載する昇降台２２と、基台２１に対して昇降台２２を昇降可能に支持するシザースリンク機構３１と、シザースリンク機構３１を拡縮して昇降台２２を昇降させる油圧シリンダ（リンク駆動手段）２３とを備えるリフタ装置１において、シザースリンク機構３１は互いに交差するリンク３２，３３と、各リンク３２，３３の一端を基台２１と昇降台２２に回動可能に連結する各支軸３５，３６と、各リンク３２，３３の他端を昇降台２２と基台２１に転接させる各ローラ３７，３８とを備え、ローラ３７の回転軸をリンク３２に揺動可能に支持するナックル４１と、このナックル４１を揺動させて昇降台２２の傾斜角度を変える油圧シリンダ（ナックル駆動手段）４２とを備えた。【選択図】　　図１
2004091090.tif 000002
【特許請求の範囲】
【請求項１】
基台に対して昇降台を昇降可能に支持するシザースリンク機構と、このシザースリンク機構を拡縮して昇降台を昇降させるリンク駆動手段とを備えるリフタ装置において、
前記シザースリンク機構は互いに交差するリンクと、各リンクの一端を前記基台と前記昇降台に回動可能に連結する各支軸と、各リンクの他端を基台と昇降台に転接させる各ローラとを備え、少なくとも一方のローラの回転軸をリンクに対して揺動可能に支持するナックルと、このナックルを揺動させて昇降台の傾斜角度を変えるナックル駆動手段とを備えたことを特徴とするリフタ装置。
【発明の詳細な説明】
【０００１】
【発明の属する技術分野】
本発明は、例えばシザースリンク機構を拡縮して昇降台を昇降させるリフタ装置の改良に関するものである。
【０００２】
【従来の技術】
従来のリフタ装置として、例えば特許２９５９３４１号、特開平７−１０９８２８号公報に開示されているように、基台に対して昇降台を昇降可能に支持するシザースリンク機構を用いるものがあった。
【０００３】
【発明が解決しようとする課題】
しかしながら、このような従来のリフタ装置にあっては、昇降台上に被支持体の傾斜角度を変える傾斜ジャッキ機構等を設けた場合、その全高及び重量が増大し、現場での取り扱いが難しくなるという問題点があった。
【０００４】
本発明は上記の問題点に鑑みてなされたものであり、現場での取り扱いが容易なリフタ装置を提供することを目的とする。
【０００５】
【課題を解決するための手段】
第１の発明は、基台に対して昇降台を昇降可能に支持するシザースリンク機構と、このシザースリンク機構を拡縮して昇降台を昇降させるリンク駆動手段とを備えるリフタ装置に適用する。
【０００６】
そして、シザースリンク機構は互いに交差するリンクと、各リンクの一端を基台と昇降台に回動可能に連結する各支軸と、各リンクの他端を基台と昇降台に転接させる各ローラとを備え、少なくとも一方のローラの回転軸をリンクに対して揺動可能に支持するナックルと、このナックルを揺動させて昇降台の傾斜角度を変えるナックル駆動手段とを備えるものとした。
【０００７】
【発明の作用および効果】
第１の発明において、リフタ装置はシザースリンク機構を拡縮して昇降台を昇降させるとともに、ナックルを揺動させて昇降台の傾斜角度を変える。リフタ装置は昇降台の傾斜角度を変えるナックルがリンクとローラの間に設けられる構造のため、昇降台上に被支持体の傾斜角度を変える傾斜ジャッキ機構等を設ける必要がなく、その全高を抑えられるとともに、重量の増大が抑えられる。
【０００８】
【発明の実施の形態】
以下、本発明の実施の形態を添付図面に基づいて説明する。
【０００９】
図１、図２に示すように、リフタ装置１は、地面等に設置されたガイドレール２上にレバーロック３等を介して固定される基台２１と、各種作業機械や重量物を搭載する昇降台２２と、基台２１に対して昇降台２２を昇降可能に支持するシザースリンク機構３１と、シザースリンク機構３１を拡縮して昇降台２２を昇降させる２本の油圧シリンダ（リンク駆動手段）２３とを備える。
【００１０】
各油圧シリンダ２３はそのシリンダ基端部が支軸２４を介して各リンク３３側に連結され、そのロッド先端部が支軸２５を介して各リンク３２側に連結される。各油圧シリンダ２３がパワーユニット４から供給される加圧作動油によって伸張作動することにより、各リンク３２，３３が立ち上がって昇降台２２が上昇する一方、各油圧シリンダ２３が収縮作動することにより、各リンク３２，３３が傾倒して昇降台２２が下降する。
【００１１】
シザースリンク機構３１は互いに交差する２対のリンク３２，３３と、各リンク３２，３３の交差部を回動可能に連結する支軸３４と、各リンク３２，３３の一端を基台２１と昇降台２２に回動可能に連結する支軸３５，３６と、各リンク３２，３３の他端を昇降台２２と基台２１に転接させる各ローラ３７，３８とを備える。各油圧シリンダ２３を伸縮作動させると、各リンク３２，３３の交差角度が変わって拡縮し、昇降台２２を基台２１に対して平行移動させる。
【００１２】
リフタ装置１は、シザースリンク機構３１に対する昇降台２２の傾斜角度を変えるナックル機構４０を備える。このナックル機構４０は、各リンク３２に支軸４３を介して揺動可能に連結される対のナックル４１と、各ナックル４１を揺動させる油圧シリンダ（ナックル駆動手段）４２とを備え、各ナックル４１の揺動先端部に各ローラ３７の回転軸４４が連結される。
【００１３】
各油圧シリンダ４２はそのシリンダ基端部が支軸４５を介して各リンク３２側に連結され、そのロッド先端部が支軸４６を介して各ナックル４１側に連結される。各油圧シリンダ４２がパワーユニット４から供給される加圧作動油によって伸張作動することにより、各ナックル４１が立ち上り、各ローラ３７の回転軸４４を上昇させて昇降台２２が水平になる。一方、各油圧シリンダ４２が収縮作動することにより、各ナックル４１が傾倒し、各ローラ３７の回転軸４４を下降させて昇降台２２が傾斜する。
【００１４】
以上のように構成されて、昇降台２２上には各種作業機械や重量物が載せられる。リフタ装置１はナックル４１を揺動させて各ローラ３７の回転軸４４を昇降させることにより、昇降台２２を任意の傾斜角度に保持する。
【００１５】
リフタ装置１はナックル４１を介して昇降台２２の傾斜角度を変えるナックル４１が各リンク３２と各ローラ３７の間に設けられる構造のため、昇降台２２の傾斜角度を変える傾斜ジャッキ機構等を設ける必要がなく、その全高を抑えられるとともに、重量の増大が抑えられ、現場での取り扱いが容易になる。
【００１６】
本発明は上記の実施の形態に限定されずに、その技術的な思想の範囲内において種々の変更がなしうることは明白である。
【図面の簡単な説明】
【図１】本発明の実施の形態を示す正面図。
【図２】同じく側面図。
【符号の説明】
１　リフタ装置
２１　基台
２２　昇降台
２３　油圧シリンダ（リンク駆動手段）
３１　シザースリンク機構
３２，３３　リンク
３７，３８　ローラ
４０　ナックル機構
４１　ナックル
４２　油圧シリンダ（ナックル駆動手段）
【図１】
2004091090.tif 000003
【図２】
2004091090.tif 000004